(57)【要約】【課題】監視システムにおいて、記録済みの監視対象データの検索の簡易化及び高速化を図る。【解決手段】監視端末１０から送信される映像データ及びメタデータを蓄積し、映像データ又は前記メタデータの中から所望のデータを抽出するための検索条件を予め記憶し、予め記憶させた検索条件を表示させて、表示された検索条件の中から特定の検索条件が選択された場合に、選択された検索条件に合致するメタデータ又は映像データを抽出して表示する。【選択図】図４
2008016899.tif 000002
【特許請求の範囲】
【請求項１】
監視端末と監視装置を用いて構成される監視システムにおいて、
前記監視端末は、
監視対象を撮像して映像データを生成する撮像部と、
前記撮像部で撮像された監視対象の属性情報を示したメタデータを生成するメタデータ生成部とを備え、
前記監視装置は、
前記監視端末の前記撮像部から送信される前記映像データを記憶する映像データ蓄積部と、
前記映像データ蓄積部に蓄積された映像データ又は前記メタデータ蓄積部に蓄積されたメタデータの中から所望のデータを抽出するための検索条件を予め記憶しておく検索条件記憶部と、
前記検索条件記憶部に記憶された検索条件を表示する表示部と、
前記表示部に表示された検索条件の中から、特定の検索条件が選択された場合に、選択された検索条件に合致するメタデータを抽出して前記表示部に表示する制御部とを備えたことを特徴とする
監視システム。
【請求項２】
前記監視端末の前記撮像部から送信される前記映像データを記憶する映像データ蓄積部と、
前記監視端末の前記メタデータ生成部から送信されるメタデータを記憶するメタデータ蓄積部と、
前記映像データ蓄積部に蓄積された映像データ又は前記メタデータ蓄積部に蓄積されたメタデータの中から所望のデータを抽出するための検索条件を予め記憶しておく検索条件記憶部と、
前記検索条件記憶部に記憶された検索条件を表示する表示部と、
前記表示部に表示された検索条件の中から、特定の検索条件が選択された場合に、選択された検索条件に合致するメタデータを抽出して前記表示部に表示する制御部とを備えたことを特徴とする
監視装置。
【請求項３】
請求項２記載の監視装置において、
前記メタデータの中から、警告を行う必要のあるデータを抽出するための条件であるフィルタの設定情報を記憶するメタデータフィルタ設定記憶部と、
前記フィルタを組み合わせで構成されるフィルタパッケージの設定情報を記憶するフィルタパッケージ記憶部とを備え、
前記検索条件記憶部に記憶させる検索条件は、前記フィルタ又はフィルタパッケージ、又は前記フィルタと前記フィルタパッケージとの組合せで構成されることを特徴とする
監視装置。
【請求項４】
請求項３記載の監視装置において、
前記検索条件記憶部に記憶された検索条件以外の条件を新たに追加するための検索条件追加手段を供えたことを特徴とする
監視装置。
【請求項５】
前記監視端末の前記撮像部から送信される前記映像データを記憶する映像データを蓄積し、
前記監視端末の前記メタデータ生成部から送信されるメタデータを蓄積し、
前記映像データ又は前記メタデータの中から所望のデータを抽出するための検索条件を予め記憶し、
前記予め記憶させた検索条件を表示し、
前記表示された検索条件の中から、特定の検索条件が選択された場合に、選択された検索条件に合致するメタデータ又は映像データを抽出して表示することを特徴とする
検索方法。
【請求項６】
前記監視端末の前記撮像部から送信される前記映像データを記憶する映像データを蓄積し、
前記監視端末の前記メタデータ生成部から送信されるメタデータを蓄積し、
前記映像データ又は前記メタデータの中から所望のデータを抽出するための検索条件を予め記憶し、
前記予め記憶させた検索条件を表示し、
前記表示された検索条件の中から、特定の検索条件が選択された場合に、選択された検索条件に合致するメタデータ又は映像データを抽出して表示することを特徴とする
検索プログラム。
【発明の詳細な説明】
【技術分野】
【０００１】
本発明は、監視端末と監視装置とで構成される監視システム、監視装置、検索方法及び検索プログラムに関する。
【背景技術】
【０００２】
従来、監視端末と監視装置とで構成される監視システムの用途としては、監視端末により撮像された監視対象をリアルタイムで確認する用途の他に、監視対象のデータを記録しておき、後で記録されたデータの中から特定のデータを検索して確認する用途がある。
【０００３】
記録されたデータの検索を行なう場合の検索条件としては、記録された日時や、記録されたデータに付与された記録データ名などを用いることが一般的である。特許文献１には、従来の監視システムの一例が記載されている。
【特許文献１】特開２００３−２７４３９０号公報
【発明の開示】
【発明が解決しようとする課題】
【０００４】
ところで、記録された日時や記録データ名などを用いて、記録されたデータの検索を行なうと、抽出されるデータ数が膨大な数となってしまう可能性があった。また、抽出されるデータ数を少なくするためには検索条件を細かく設定する必要があるが、その実現に当たり、インターフェースが複雑化してしまうことが多かった。
【０００５】
また、監視対象データの記録が必要とされる状況が多様化してきていることもあり、記録済みのデータを検索する際に、記録を行った当初には想定されていなかった条件で検索を行わなければならないという状況も増えてきている。この場合、ユーザが手入力によって新しい条件を入力する必要があるが、毎回のように検索条件を入力しなければならないのは手間であり、ユーザの負担が増大してしまうという問題があった。
【０００６】
本発明はかかる点に鑑みてなされたものであり、記録済みの監視対象データの検索の簡易化及び高速化を図ることを目的とする。
【課題を解決するための手段】
【０００７】
本発明は、監視端末から送信される映像データ及びメタデータを蓄積し、映像データ又は前記メタデータの中から所望のデータを抽出するための検索条件を予め記憶し、予め記憶させた検索条件を表示させて、表示された検索条件の中から特定の検索条件が選択された場合に、選択された検索条件に合致するメタデータ又は映像データを抽出して表示するようにしたものである。
【０００８】
このようにしたことで、複数表示された検索条件の中から特定の検索条件が選択された時点で、その検索条件に合致するメタデータ又は映像データが抽出される。
【発明の効果】
【０００９】
本発明によると、複数表示された検索条件の中から特定の検索条件が選択された時点で、その検索条件に合致するメタデータ又は映像データが抽出されるため、検索にかかる手順が削減され、検索を効率的に行なえるようになる。
【発明を実施するための最良の形態】
【００１０】
以下、本発明の一実施の形態を、添付図面を参照して説明する。
【００１１】
図１は、システム構成の概要を示す図で、本例においては監視端末１０ａ及び１０ｂが、ネットワーク１を介して監視装置２０に接続してある。監視端末１０ａ及び１０ｂは、メタデータ生成機能を有するカメラであり、監視対象を撮像する撮像部（図示せず）と、撮像部で撮像されたデータから後述するメタデータを生成するメタデータ生成部（図示せず）とを備えた構成としてある。監視端末１０ａ及び１０ｂは映像データ及びメタデータを出力し、出力された各データは、ネットワーク１を介して監視装置２０に供給される。
【００１２】
監視装置２０は例えばコンピュータで構成され、監視端末１０ａ又は１０ｂより供給される映像データ及びメタデータを記憶、解析するとともに、監視端末１０ａ及び１０ｂで撮像する画像のコーデック切り替え指示等、監視端末１０ａ及び１０ｂの制御を行える構成としてある。なお本例では、監視装置にて監視端末から得られるデータの記憶、解析と制御を行う構成としてあるが、別途サーバを設けてサーバにデータの記憶及び解析を行わせるようにし、監視装置には、監視端末の制御及びデータの閲覧を行わせる構成としてもよい。
【００１３】
メタデータとは、監視端末１０ａ及び１０ｂにて生成されるデータであり、撮像部で撮像された映像データの属性情報のことである。メタデータとしては、例えば監視端末で動体を検知した場合の、動体（オブジェクト）のＩＤや座標、サイズ等のオブジェクト情報や、撮像時刻データ、監視端末の向き情報（パン・チルト等）、監視端末の位置情報、撮像された画像の署名情報等がある。
【００１４】
次に、図２のブロック図を参照して、本例の監視端末の各部の構成について説明する。監視装置２０は、監視端末１０ａ又は１０ｂから映像データ及びメタデータを受信し、映像データを映像データバッファ部２１、メタデータをメタデータバッファ部２２に送信する。映像データバッファ部２１は、監視端末１０ａ又は１０ｂから入力される映像データを取得し、符号化されている映像データの復号化処理を行う。メタデータバッファ部２２は、監視端末１０ａ又は１０ｂから取得したメタデータを保持し、保持しているメタデータを後述するメタデータフィルタ判定部２５に供給する。
【００１５】
メタデータフィルタ判定部２５は、メタデータバッファ部２２から取得したメタデータ、あるいはメタデータ蓄積ＤＢ２４から取得したメタデータに対して、予め設定されたメタデータフィルタの条件に合致するかの判定処理を行い、判定結果を、メタデータ蓄積ＤＢ２４内に既に記憶されてある記録データに反映させるとともに、フィルタ処理の結果をフィルタパッケージ判定部２７に通知する。設定されたメタデータフィルタは、メタデータフィルタ設定ＤＢ２５に記憶させてある。
【００１６】
メタデータフィルタ（以下、フィルタと称する）とは、オブジェクト情報からアラーム情報を生成する場合の判断条件のことであり、アラーム情報とは、フィルタの条件を満たしたメタデータを解析して、動体の位置の変化から速度を割り出したり、動体がある線を越えたか否かの確認をしたり、またはこれらを複合的に解析することで得られる情報である。フィルタの種類としては、監視対象の物体があるエリア内に存在する場合にアラーム情報を生成する“Appearance（存在）”、監視対象の物体があるエリア内に現れ、そのエリア内から消失した場合にアラーム情報を生成する“Disappearance（消失）”、監視対象の物体があるラインを超えた場合にアラーム情報を生成する“Passing（通過）”、あるエリア内の員数をカウントし、それが所定のある数を超過した時点でアラーム情報を生成する“Capacity（物体制限数）”、所定の時間を越えて、あるエリア内に物体が滞留する場合にアラーム情報を生成する“Loitering（滞留）”等がある。
等がある。
【００１７】
アラーム情報に含まれるデータとしては、上述したフィルタのうちの“Capacity”等、累積オブジェクト数をアラーム情報発生の条件とするフィルタを使用した場合に記録される、フィルタの条件に合致したオブジェクトの数である“累積オブジェクト数”、特定のフレーム内においてフィルタの条件に合致したオブジェクト数である“オブジェクト数”、フィルタの条件に合致したオブジェクトの属性情報等がある。
【００１８】
また、複数のフィルタ同士を組み合わせて、フィルタパッケージ（以下、パッケージと称する）を設定することもできるようにしてある。例えばフィルタＡとフィルタＢのどちらの条件も満たす場合をパッケージＣと設定したり、フィルタＡとフィルタＢのいずれかの条件を満たす場合をパッケージＤと設定したりできる。図３（ａ）〜（ｃ）にフィルタ又はパッケージの設定例を示してある。図３においては、ショッピングモール全体を広角で撮像する監視システムに、いくつかのフィルタ又はパッケージを適用された例としてある。
【００１９】
図３（ａ）では、エリアＡＲ１のエリア内で動体が検知された場合に、その動体を検出して動体の数をカウントするフィルタＦＴ１が設定されている。図３（ｂ）では、ラインＬＮ１を動体が通過した場合に動体を検出してその数をカウントするPassingフィルタＡと、ラインＬＮ２を動体が通過した場合に動体を検出してその数をカウントするPassingフィルタＢと、ラインＬＮ３を動体が通過した場合に動体を検出してその数をカウントするPassingフィルタＣとで構成され、ラインＬＮ１〜３を動体が順に通過した場合のみ対象の動体を検出し、その数をカウントするパッケージＰＫ１が設定されている。図３（ｃ）では、エリアＡＲ１内で動体が検知され、かつその動体が一定時間滞在している場合にその動体を検出して数をカウントするフィルタＦＴ２が適用されている。パッケージを構成するフィルタとしては、自機器におけるフィルタだけでなく、他の監視装置で設定されたフィルタを用いてもよい。
【００２０】
図２に戻って説明を続けると、フィルタパッケージ判定部２７は、上述したようなパッケージ設定が記憶されたフィルタパッケージ設定ＤＢ２８からデータを読み込み、受信したメタデータがパッケージの条件に合致しているか否かの判定を行なう。そして、判定結果を、メタデータ蓄積ＤＢ２４内に既に記憶されてある記録データに反映させるとともに、判定結果に基づいてアラーム情報を生成する必要がある場合には、アラーム情報を生成する。
【００２１】
アラーム情報解析部２９は、フィルタパッケージ判定部２７から得られるアラーム情報を解析し、監視端末１０ａ又は１０ｂや周辺機器に最適な動作を行わせるための制御を行い、表示部３３に情報を与える。解析の種類としては、指定した時間だけアラームが連続で来る場合、インパルス波アラームであっても方形波アラームとみなす“連続時間”、アラーム情報が指定時間内に指定比率以上発生した場合に、その頻度を解析する“発生頻度”、指定範囲内に指定比率以上の物体が存在する場合にその比率を解析する“占有面積”等があり、いずれかを選択できるようにしてある。また、解析の設定を使用者が新たに定義することも可能である。解析した結果を元に、パッケージの再選択やスケジュールの変更が行われる。
【００２２】
解析ルール設定ＤＢ３０には、アラーム情報解析部２９で解析を行う際に用いる解析ルールを記憶させてある。データベースが持つ情報例としては、アラーム解析情報を一意に識別するための解析ルール番号（または解析ルール名）、アラーム解析に用いるパッケージを一意に特定するためのパッケージ番号（またはパッケージ名称）、“連続時間”や“発生頻度”、“占有面積”などの解析の種類の情報、解析タイプに必要な詳細設定項目（時間や閾値頻度など）情報、アクションの実行、パッケージの変更、解析ルールの変更など、条件を満たした場合の動作情報等がある。
【００２３】
スケジュール設定ＤＢ３２は、解析ルールやパッケージを適用する日付や日時を設定したスケジュール設定を記憶する。スケジュール設定ＤＢ３２が記憶する情報の例としては、スケジュール情報を一意に識別するためのスケジュール番号（またはスケジュール名）、解析ルールやパッケージの適用を開始する開始時間（年月日時分秒）、解析ルールやパッケージの適用を終了する終了時間（年月日時分秒）、スケジュール内に適用する解析ルールを特定するための解析ルール番号等がある。
【００２４】
スケジュール設定部３１は、スケジュールを監視し、スケジュール設定ＤＢ３２に記憶されたスケジュールの日時になった場合に、所定の解析ルールやパッケージを適用する。例えば、営業時間内は“発生頻度”ルールで解析して自動ドアの挟み込みといった状況を判別し、閉店後は“侵入”アラームに切り替えて侵入自体でアラーム状況と判断させるなどの用法に適用できる。
【００２５】
検索条件判定部３３は、映像データ蓄積ＤＢ２３やメタデータ蓄積ＤＢ２４、映像データバッファ部２１やメタデータ蓄積ＤＢ２４に蓄積された映像データ又はメタデータの中から、ユーザにより指定された検索条件に合致するデータを抽出する。検索条件は、その都度ユーザに指定させるのではなく、予めフィルタやパッケージの組合せ等を検索条件として設定させておき、その設定がユーザにより選択されたタイミングで検索を実行する構成としてある。検索条件設定ＤＢは、フィルタやパッケージの組合せ等で構成される検索条件を記憶してあり、フィルタやパッケージが適用される監視端末の情報も、合わせて持つようにしてある。
【００２６】
表示部３５は、液晶パネル等で構成されるディスプレイであり、検索条件判定部３３により抽出されたメタデータや映像が表示される。
【００２７】
次に、図４のフローチャート及び図５〜７の画面表示例を参照して、本例の監視端末における検索処理について説明する。まず、フィルタやパッケージ等、データの絞込みを行なうための条件登録を予め受け付けておく（ステップＳ１１）。ここで登録された検索条件は、検索条件設定ＤＢ３４（図２参照）に記憶される。
【００２８】
次に、監視端末１０ａ及び１０ｂより映像データとメタデータを取得し（ステップＳ１２）、取得した映像データを映像データバッファ部２１に記憶させ、メタデータをメタデータバッファ部２２に記憶させる（ステップＳ１３）。映像データバッファ部２１とメタデータバッファ部２２によって保持された各データは、所定の時間が経過後に映像データＤＢ２３及びメタデータ蓄積ＤＢ２４に蓄積される。
【００２９】
このとき、メタデータフィルタ判定部２５やフィルタパッケージ判定部２７において、受信したメタデータがフィルタ又はパッケージの条件を満たすか否かの判断も行なわれ、アラーム情報の生成が必要とされる場合にはアラーム情報が生成される。そして、メタデータフィルタ判定部２５による判定結果、フィルタパッケージ判定部２７による判定結果及びアラーム情報は、再びメタデータ蓄積ＤＢ２４に蓄積される。
【００３０】
ステップ１１〜１３が繰り返されることにより、一定量の映像データ及びメタデータが蓄積された状態で特定のデータを抽出したい場合に、ユーザは検索ソフトウェアを起動させる（ステップＳ１４）。検索ソフトウェアとは、図５に示すようなＧＵＩ（Graphical User Interface）を持つソフトウェアであり、検索条件判定部３３を備える。
【００３１】
ここで、図５を参照して検索画面の詳細について説明する。検索画面は、画面左上より記録日時選択パート、監視端末選択パート、詳細条件選択パート、記録属性選択パート及び検索結果表示パートで構成される。記録日時選択パートは、年月日の選択を受け付ける部分であり、ここでいう年月日とは、監視装置で監視データが記録された日時である。ここで選択された年月日は検索条件として設定され、指定された年月日をキーに検索が実行される。記録日時選択パートは、初期設定にて３日や一週間等予め日付の幅を指定しておくことも可能であり、一週間に一度記録データをチェックするユーザであれば、初期設定にて一週間分のデータのみを表示させる設定にしておけば、検索ソフトウェア起動時に自動的に過去一週間分のデータのみが抽出されるようになり、検索手順の削減にもつながる。
【００３２】
監視端末選択パートでは、監視システムにより管理される監視端末を一覧で表示するようにしてある。一覧の中から特定の監視端末が選択されると、その監視端末によって取得・記録された記録データのみが、映像データバッファ部２１又はメタデータバッファ部２２、映像データ蓄積ＤＢ２３やメタデータ蓄積ＤＢ２４から抽出され、抽出された記録データが、検索結果表示パートに表示される。図６に、この場合の表示例を示してある。監視端末選択パートで“RZ50”という監視端末が選択されており、検索結果表示パートに、RZ50にて撮像・記録された記録データが一覧で表示してある。
【００３３】
なお、図６では検索の結果、該当した記録データが１件のみの場合を示してあるが、記録データが複数存在する場合には検索結果は複数行で表示される。また、図６では監視端末選択パートに監視端末名を一覧で表示してあるが、広域を撮像する監視端末と狭域を撮像する監視端末等、監視端末のタイプ別の表示を行うようにしてもよい。この場合、タイプを選択することにより、そのタイプに分類される複数台の監視端末が検索条件として設定される。
【００３４】
図５に戻って説明を続けると、詳細条件選択パートでは、ステップＳ１１（図４参照）で登録された検索条件を、ツリー状またはリスト等、一覧で表示するようにしてある。一覧の中から特定の検索条件が選択されると、その検索条件、つまりフィルタやパッケージの条件に合致した記録データのみが抽出され、抽出された記録データが検索結果表示パートに表示される。
【００３５】
図７に、この場合の表示例を示してある。詳細条件選択パートで“RX550-Package1”というパッケージ（検索条件）が選択されており、検索結果表示パートに、RX550-Package1というパッケージで設定された条件に合致した記録データが表示されている。詳細条件選択パートで検索条件が選択された場合は、検索結果表示パートに表示される項目として、“Appearance”や“Passing”等のフィルタの詳細（項目：“Filter”）や、検知されたオブジェクトの詳細情報（項目：“Object detail”）、アラーム情報発生の時刻（項目：“Alarm Time”）等が表示される。
【００３６】
また、図示はしていないが、詳細検索条件選択パートには、検索条件の追加や変更等を行なえる編集用のリンク又はボタン等を表示するようにしてあり、この機能を利用することにより、検索条件の登録後であっても、また検索を行なっている最中であっても検索条件の新規登録や編集を行なうことが可能となる。
【００３７】
図５の検索画面の説明に戻ると、記録属性選択パートは検索条件として属性を指定できる部分であり、例えばカメラボタンＢＴ１、音声ボタンＢＴ２、アラームボタンＢＴ３、スケジュールボタンＢＴ４、マニュアルボタンＢＴ５、コンボボックスＫＢ６等で構成される。ボタンは、押下されるとその状態が保持され、押下された状態が保持された期間は設定が有効となるようにしてある。
【００３８】
カメラボタンＢＴ１を押下すると、監視端末で撮像された記録データのみが抽出されるよう、条件設定がされる。同様に、音声ボタンＢＴ２を押下すると音声データのみの条件設定がされ、アラームボタンＢＴ３を押下するとアラーム情報を持つデータのみという条件設定がされ、スケジュールボタンＢＴ４を押下するとスケジュールに基づいて記録されたデータのみという条件設定がされ、マニュアルボタンＢＴ５を押下すると撮像のトリガが手動による撮像開始指令であるデータのみという条件設定がされる。コンボボックスＫＢ６でも、アラーム情報が生成された記録データのみ、又はフィルタやパッケージの条件に合致した記録データのみ等、属性の設定を切り替えられるようにしてある。
【００３９】
ここで図４のフローチャートに戻り、検索処理の説明を続ける。ステップＳ１４で検索ソフトウェアが起動された後は、記録日時選択パートでの日時設定等、初期検索条件設定がされているか否かが判断される（ステップＳ１５）。初期検索設定がされている場合には、記録日時を検索条件として記録データの絞込みが行なわれる（ステップＳ１６）。初期検索設定がされていない場合は、次に記録属性選択パートでいずれかの条件設定が行なわれているか否かの判断が行なわれる（ステップＳ１７）。アラームボタン３の押下等、記録属性選択パートにおいて何らかの設定がなされている場合には、選択された記録属性を検索条件として記録データの絞込みが行なわれる（ステップＳ１８）。
【００４０】
記録属性選択パートでの検索条件指定が無い場合には、監視端末選択パートでいずれかの監視端末が選択されているか否かの判断が行なわれる（ステップＳ１９）監視端末が選択されている場合には、選択された監視端末で撮像・記録された記録データのみが抽出され、表示部３５（図２参照）に表示される（ステップＳ２０）。次に、詳細検索条件選択パートにていずれかのフィルタ又はパッケージが検索条件として選択されているか否かの判断がされ（ステップＳ２１）、詳細検索条件が指定されている場合には、選択された詳細検索条件に合致する記録データが抽出され、表示部３５に表示される（ステップＳ２２）。指定が無い場合にはステップ１５に戻り、ユーザからの検索条件の指定を待ち受ける。
【００４１】
このように、アラーム情報を生成する判断条件としてのフィルタや、複数のフィルタを論理条件で結びつけたパッケージを、監視端末に記録された監視データの検索条件として予め登録しておくようにしたため、検索を行う際にはそれらをクリックする等の簡単な操作で検索を行うことができ、検索手順を削減することが可能となる。
【００４２】
また、よく検索する条件をフィルタやパッケージの指定等により予め設定しておけるため都度検索条件を入力する必要がなくなり、特に大量のデータに対して検索を行う必要がある場合などには、検索時間が大幅に節減される。
【００４３】
また、検索画面という１つのＧＵＩ上にて、詳細条件設定に基づく検索と、詳細条件設定の編集を行えるようにしてあるため、詳細条件設定の設定は熟練者に行なわせるようにし、検索は別の人間が行なうようにするといった、作業の分担を行なうことができるようになる。
【００４４】
さらに、詳細条件設定選択パートで、検索条件としてパッケージがツリー状に表示してある場合にはツリーを開いて階層を平らにした状態で、また、リスト表示されている場合にはそのままの状態で、異なるパッケージの配下にそれぞれ設定されたフィルタを複数選択して検索をかけることも可能であり、このような操作を行なうことで検索条件を柔軟に、かつ少ない手順で行なうことが可能となる。
【００４５】
なお、ここまで説明した実施の形態では、監視端末として撮像部を備えたカメラ等を想定して説明を行ったが、監視端末としてマイクロフォンを用いる構成としてもよい。
【００４６】
また、上述した実施の形態では、検索条件としての属性条件として、映像や音声といった記録データの属性や、記録が開始された方法（ユーザの手動による開始か、スケジュール制御に基づく自動開始か、特定の条件が満たされたことによる開始か）等を例に挙げて説明を行ったが、ブックマークやコメント等、ユーザが記録データに付与した情報を属性条件として持たせるようにしてもよい。
【００４７】
また、上述した実施の形態では、記録データが記録された日時の指定を、記録日時選択パートにて指定させたり、初期設定として範囲を指定させたりするようにしてあるが、検索ソフトウェア起動時に必ず日時を指定させるような構成としてもよい。
【００４８】
また、ここまで説明した実施の形態では、検索開始を指示するためのボタン等を特に設けず、監視端末選択パートや詳細条件選択パートにて特定の条件が選択されたことを持って検索を開始させる構成としたが、検索ボタンその他の、検索開始を指示するためのＧＵＩを別途設けるようにしてもよい。
【００４９】
また、上述した実施の形態では、監視端末の選択や詳細条件の選択を行なうことにより検索が開始される構成としてあるが、検索時に詳細条件設定を行う必要が無い場合には、指定を行わないようにしてもよい。
【００５０】
さらに、以上説明した実施の形態では、記録データの記録日時を初期検索条件として設定できる構成としたが、「画面内すべてを監視オブジェクトの検索範囲とする」等の、良く利用されると思われる検索条件は、初期検索条件などでユーザからの設定を待ち受けるまでもなく、システム側に最初から持たせておくようにしてもよい。
【図面の簡単な説明】
【００５１】
【図１】本発明の一実施の形態による監視システムの構成例を示す構成図である。
【図２】本発明の一実施の形態による監視装置の内部構成例を示すブロック図である。
【図３】本発明の一実施の形態によるフィルタ及びパッケージの設定例を示す説明図である。
【図４】本発明の一実施の形態による検索処理例を示すフローチャートである。
【図５】本発明の一実施の形態による検索画面の表示例を示す説明図である。
【図６】本発明の一実施の形態による検索画面の表示例を示す説明図である。
【図７】本発明の一実施の形態による検索画面の表示例を示す説明図である。
【符号の説明】
【００５２】
１…ネットワーク、１０…監視端末、２０…監視装置、２１…映像データバッファ部、２２…メタデータバッファ部、２３…映像データ蓄積ＤＢ、２４…メタデータ蓄積ＤＢ、２５…メタデータフィルタ判定部、２６…フィルタ設定ＤＢ、２７…フィルタパッケージ判定部、２８…フィルタパッケージ設定ＤＢ、２９…アラーム情報解析部、３０…解析ルール設定ＤＢ、３１…スケジュール設定部、３２…スケジュール設定ＤＢ、３３…検索条件判定部、３４…検索条件設定ＤＢ、３５…表示部
【図１】
2008016899.tif 000003
【図２】
2008016899.tif 000004
【図４】
2008016899.tif 000005
【図５】
2008016899.tif 000006
【図６】
2008016899.tif 000007
【図７】
2008016899.tif 000008
【図３】
2008016899.tif 000009